【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
酸素発生システムであって、
（ａ）携帯用酸素発生器ユニットであって、濃酸素ガスを発生させるための携帯用空気分離装置と、該携帯用空気分離装置に空気を供給する手段を含む１次ガスポンプと、該ガスポンプを駆動する１次モータと、該モータを駆動する充電式電源と、該充電式電源に電力を送るようになっているコネクタ手段と、濃酸素ガスを該携帯用酸素発生器ユニットから移すフローカップリング手段と、第１の濃酸素ガス生成物放出ポートとを含む携帯用酸素発生器ユニットと、
（ｂ）該携帯用酸素発生器ユニットに結合するようになっている定置ベースユニットであって、該定置ベースユニットが、該携帯用酸素発生器ユニットの充電式電源を充電するようになっているコネクタ手段を含む定置電源システムと、該携帯用酸素発生器ユニットから濃酸素ガスを受け取るフローカップリング手段と、第２の濃酸素ガス生成物放出ポートとを含む定置ベースユニットと、
を含むシステム。
【請求項２】
前記携帯用酸素発生器ユニットが非結合モードにおいて単独で作動して前記第１の放出ポートに取り付けられるカニューレを通じユーザに第１の流量で濃酸素ガス生成物を供給することができる請求項１に記載のシステム。
【請求項３】
前記携帯用酸素発生器ユニット及び定置ベースユニットが結合モードにおいて連携しつつ作動して前記第２の放出ポートに取り付けられるカニューレを通じユーザに第２の流量で濃酸素ガス生成物を供給することができ、該第２の流量が前記第１の流量よりも多い請求項２に記載のシステム。
【請求項４】
前記定置ベースユニットが、ブースタモータと、該ブースタモータと一体化される第１の駆動カップリング手段とを含み、前記携帯用酸素発生器ユニットが前記１次モータと一体化される第２の駆動カップリング手段を含み、前記定置ベースユニットが前記携帯用酸素発生器ユニットに結合されたときに該ブースタモータ及び１次モータが連携しつつ作動して前記１次ガスポンプを駆動するようになっている請求項１に記載のシステム。
【請求項５】
前記定置ベースユニットが、定置駆動モータと、該定置駆動モータと一体化される第１の駆動カップリング手段とを含み、前記携帯用酸素発生器ユニットが前記１次ガスポンプと一体化される第２の駆動カップリング手段を含み、前記定置ベースユニットが前記携帯用酸素発生器ユニットに結合されたときに該定置駆動モータが前記１次ガスポンプを駆動するようになっている請求項１に記載のシステム。
【請求項６】
前記定置ベースユニットが、２次ガスポンプと、該２次ガスポンプを駆動する定置駆動モータと、該２次ガスポンプからのガス取出しラインとを含み、前記携帯用酸素発生器ユニットが前記携帯用空気分離装置に流通してるガス取入れラインを含み、これらガス取出しライン及びガス取入れラインがそれぞれ、前記定置ベースユニットが前記携帯用酸素発生器ユニットに結合されたときに該２次ガスポンプが前記携帯用空気分離装置への空気の一部を提供できるように結合できるフローカップリング手段を有する請求項１に記載のシステム。
【請求項７】
前記定置ベースユニットが、２次ガスポンプと、該２次ガスポンプを駆動する定置駆動モータと、該２次ガスポンプからのガス取出しラインとを含み、前記携帯用酸素発生器ユニットが前記携帯用空気分離装置に流通しているガス取入れラインを含み、これらガス取出しライン及びガス取入れラインがそれぞれ、前記定置ベースユニットが前記携帯用酸素発生器ユニットに結合されたときに該２次ガスポンプが前記携帯用空気分離装置への空気の全てを提供できるように結合できるフローカップリング手段を有する請求項１に記載のシステム。
【請求項８】
前記定置ベースユニットが、補助濃酸素ガスを発生させるための定置空気分離装置と、該定置空気分離装置に空気を供給する手段を含む定置ガスポンプと、該定置ガスポンプを駆動するモータと、前記定置ベースユニットが前記携帯用酸素発生器ユニットに結合されたとき該補助濃酸素ガスを前記携帯用酸素発生器ユニットからの濃酸素ガスに合流させる配管手段とを含む請求項１に記載のシステム。
【請求項９】
前記携帯用空気分離装置が圧力スウィング吸着システムを含む請求項１に記載のシステム。
【請求項１０】
前記定置ベースユニットが定置空気分離装置を具備し、該定置空気分離装置が圧力スウィング吸着システムを含む請求項１に記載のシステム。
【請求項１１】
前記定置ベースユニットが濃酸素ガス生成物に水分を付加するようになっている加湿器を更に含む請求項１に記載のシステム。
【請求項１２】
濃酸素ガス生成物を発生させる方法であって、
（ａ）携帯用酸素発生器ユニットであって、濃酸素ガスを発生させるための携帯用空気分離装置と、該携帯用空気分離装置に空気を供給する手段を含む１次ガスポンプと、該ガスポンプを駆動する１次モータと、該モータを駆動する充電式電源と、該携帯用酸素発生器ユニットの該充電式電源を充電するために電力を受け取るようになっているコネクタ手段と、該携帯用酸素発生器ユニットから濃酸素ガスを移すフローカップリング手段と、第１の濃酸素ガス生成物放出ポートとを含む携帯用酸素発生器ユニットを用意するステップと、
（ｂ）該携帯用酸素発生器ユニットに結合するようになっている定置ベースユニットを用意するステップであって、該定置ベースユニットが、該携帯用酸素発生器ユニットの充電式電源を充電するために電力を供給するようになっているコネクタ手段を含む定置電源システムと、該携帯用酸素発生器ユニットから濃酸素ガスを受け取るフローカップリング手段と、第２の濃酸素ガス生成物放出ポートとを含んでいるステップと、
（ｃ）これら携帯用酸素発生器ユニット及び定置ベースユニットを非結合モードで作動するステップであって、該携帯用酸素発生器ユニットが、空気を分離して該第１の放出ポートに取り付けられるカニューレを通じユーザに第１の流量で濃酸素ガス生成物を提供するように作動されるステップと、
（ｄ）（１）前記コネクタ手段同士を互いに接続しかつ前記フローカップリング手段同士を互いに結合することによって携帯用酸素発生器ユニットと定置ベースユニットとを互いに結合し、
（２）前記携帯用酸素発生器ユニットを作動させて空気を分離し濃酸素ガスを提供し、該濃酸素ガスを前記定置ベースユニットに移し、前記第２の放出ポートに取り付けられるカニューレを通じてユーザに第２の流量で濃酸素ガス生成物を供給する、
ことによってこれら携帯用酸素発生器ユニット及び定置ベースユニットを結合モードで作動させるステップであって、該第２の流量が前記第１の流量よりも多いステップと、
を含む方法。
【請求項１３】
酸素発生システムであって、
（ａ）濃酸素ガスを発生させるための携帯用空気分離装置と、該携帯用空気分離装置に空気を供給する手段を含む１次ガスポンプと、該ガスポンプを駆動する１次モータと、該モータを駆動する充電式電源と、該充電式電源に電力を送るようになっているコネクタ手段と、濃酸素ガス生成物放出ポートとを含む携帯用酸素発生器ユニットであって、該携帯用酸素発生器ユニットが携帯モードで作動して第１の流量の濃酸素ガスを発生させるようになっている携帯用酸素発生器ユニットと、
（ｂ）該携帯用酸素発生器ユニットに結合するようになっている定置ベースユニットであって、該定置ベースユニットが該携帯用酸素発生器ユニットの充電式電源を充電するようになっているコネクタ手段を含む定置電源システムを含んでいる定置ベースユニットと、
を含み、
これら携帯用酸素発生器ユニット及び定置ベースユニットがそれぞれ、濃酸素ガスを携帯用酸素発生器ユニットから定置ベースユニットに移すようになっている第１のフローカップリング手段と、濃酸素ガスを定置ベースユニットから携帯用酸素発生器ユニットに移すようになっている第２のフローカップリング手段とを含み、定置ベースユニット及び携帯用酸素発生器ユニットが結合モードにおいて連携しつつ作動して前記第１の流量よりも多い第２の流量で濃酸素ガスを発生させるようになっているシステム。
【請求項１４】
濃酸素ガス生成物を発生させる方法であって、
（ａ）濃酸素ガスを発生させるための携帯用空気分離装置と、該携帯用空気分離装置に空気を供給する手段を含む１次ガスポンプと、該ガスポンプを駆動する１次モータと、該モータを駆動する充電式電源と、該充電式電源を充電するために電力を受け取るようになっているコネクタ手段と、濃酸素ガス生成物放出ポートとを含む携帯用酸素発生器ユニットを用意するステップと、
（ｂ）該携帯用酸素発生器ユニットに結合するようになっている定置ベースユニットを用意するステップであって、該定置ベースユニットが、該携帯用酸素発生器ユニットの充電式電源を充電するようになっているコネクタ手段を含む定置電源システムと、濃酸素ガスを加湿する手段とを含んでおり、これら携帯用酸素発生器ユニット及び定置ベースユニットがそれぞれ、濃酸素ガスを携帯用酸素発生器ユニットから定置ベースユニットに移すようになっている第１のカップリング手段と、濃酸素ガスを定置ベースユニットから携帯用酸素発生器ユニットに移すようになっている第２のカップリング手段とを含んでいるステップと、
（ｃ）これら携帯用酸素発生器ユニット及び定置ベースユニットを非結合モードで作動するステップであって、該携帯用酸素発生器ユニットが、空気を分離して前記生成物放出ポートに取り付けられるカニューレを通じユーザに第１の流量で濃酸素生成ガスを提供するように作動されるステップと、
（ｄ）（１）前記コネクタ手段同士を互いに接続しかつ前記第１及び第２のカップリング手段を互いに結合することによって携帯用酸素発生器ユニットと定置ベースユニットとを互いに結合し、
（２）前記携帯用酸素発生器ユニットを作動させて空気を分離し濃酸素ガスを提供し、該濃酸素ガスを前記定置ベースユニットに移し、濃酸素ガスを加湿して加湿濃酸素ガスを提供し、該加湿濃酸素ガスを前記携帯用酸素発生器ユニットに移し、前記携帯用酸素発生器ユニットの前記放出ポートに取り付けられる前記カニューレを通じユーザに第２の流量で加湿濃酸素ガス生成物を供給する、
ことによってこれら携帯用酸素発生器ユニット及び定置ベースユニットを結合モードで作動させるステップであって、該第２の流量が前記第１の流量よりも多いステップと、
を含む方法。
【請求項１５】
酸素濃縮器システムであって、
（ａ）非加湿濃酸素ガスを発生させるための携帯用空気分離装置と、該携帯用空気分離装置に空気を供給する手段を含む第１のガスポンプと、該第１のガスポンプを駆動するようになっている第１のモータと、該第１のモータを駆動するために電力を供給するようになっている充電式電源システムと、該充電式電源システムを充電するようになっている第１のコネクタと、加湿濃酸素ガスを受け取るようになっている第１のフローカップリングと、非加湿濃酸素ガスと加湿濃酸素ガスとを互いに合流させて加湿濃酸素ガス生成物を形成するようになっている配管手段と、濃酸素ガス生成物送出ポートとを含む携帯用酸素発生器ユニットと、
（ｂ）該携帯用酸素発生器ユニットに結合するようになっている定置ベースユニットであって、該定置ベースユニットが、加湿濃酸素ガスを発生させるための定置空気分離装置及び加湿器と、該定置空気分離装置に空気を供給する手段を含む第２のガスポンプと、該第２のガスポンプを駆動するようになっている第２のモータと、前記第１のフローカップリングに接続するようになっている第２のフローカップリングと、加湿濃酸素ガスを該第２のフローカップリングに移す配管と、該第２のモータに電力を提供するようになっている定置電源システムと、前記携帯用酸素発生器ユニットと該ベースユニットとが互いに結合されたときに前記携帯用酸素発生器ユニットの充電式電源システムを充電するために前記第１のコネクタと接続するようになっている第２のコネクタとを含む定置ベースユニットと、
を含むシステム。
【請求項１６】
前記第１のフローカップリングと、前記非加湿濃酸素ガスと前記加湿濃酸素ガスとを互いに合流させるようになっている前記配管手段と、前記濃酸素ガス生成物送出ポートとが、前記携帯用酸素発生器ユニットの外部に取り付けられて配置される請求項１５に記載のシステム。
【請求項１７】
前記携帯用空気分離装置が第１の圧力スウィング吸着システムを含む請求項１５に記載のシステム。
【請求項１８】
前記第１の圧力スウィング吸着システムから非加湿濃酸素ガスを受け取るようになっている貯蔵タンクを更に含む請求項１７に記載のシステム。
【請求項１９】
前記第１の圧力スウィング吸着システムから非加湿濃酸素ガスを受け取るためのガス貯蔵タンクを備えていない請求項１７に記載のシステム。
【請求項２０】
前記定置空気分離装置が第２の圧力スウィング吸着システムを含む請求項１７に記載のシステム。
【請求項２１】
前記第２の圧力スウィング吸着システムから濃酸素生成ガスを受け取るようになっている貯蔵タンクを更に含む請求項２０に記載のシステム。
【請求項２２】
前記第２の圧力スウィング吸着システムから濃酸素ガスを受け取るための貯蔵タンクを備えていない請求項２０に記載のシステム。
【請求項２３】
濃酸素ガス生成物を発生させる方法であって、
（ａ）非加湿濃酸素ガスを発生させるための携帯用空気分離装置と、該携帯用空気分離装置に空気を供給する手段を含む第１のガスポンプと、該第１のガスポンプを駆動するようになっている第１のモータと、該第１のモータに電力を提供するようになっている充電式電源システムと、該充電式電源システムを充電するようになっている第１のコネクタと、加湿濃酸素ガスを受け取るようになっている第１のフローカップリングと、非加湿濃酸素ガスと加湿濃酸素ガスとを互いに合流させて加湿濃酸素ガス生成物を形成するようになっている配管手段と、濃酸素ガス生成物送出ポートとを含む携帯用酸素発生器ユニットを用意するステップと、
（ｂ）該携帯用酸素発生器ユニットに結合するようになっている定置ベースユニットを用意するステップであって、該定置ベースユニットが、加湿濃酸素ガスを発生させるための定置空気分離装置及び加湿器と、該定置空気分離装置に空気を供給する手段を含む第２のガスポンプと、該第２のガスポンプを駆動するようになっている第２のモータと、前記第１のフローカップリングと接続するようになっている第２のフローカップリングと、加湿濃酸素ガスを該第２のフローカップリングに移すための配管と、該第２のモータに電力を提供するようになっている定置電源システムと、前記携帯用酸素発生器ユニットと前記定置ベースユニットとが互いに結合されたときに前記携帯用酸素発生器ユニットの充電式電源システムを充電するために前記第１のコネクタと接続するようになっている第２のコネクタとを含んでいるステップと、
（ｃ）これら携帯用酸素発生器ユニット及び定置ベースユニットを非結合モードで作動するステップであって、該携帯用酸素発生器ユニットが、空気を分離して前記濃酸素ガス生成物送出ポートに取り付けられるカニューレを通じユーザに第１の流量で非加湿濃酸素ガスを濃酸素ガス生成物として提供するように作動されるステップと、
（ｄ）（１）前記第１及び第２のコネクタを互いに接続しかつ前記第１及び第２のフローカップリングを互いに接続することによって携帯用酸素発生器ユニットと定置ベースユニットとを互いに結合し、
（２）携帯用酸素発生器ユニットを作動させて空気を分離し非加湿濃酸素ガスを提供し、
（３）定置ベースユニットを作動させて空気を分離し濃酸素ガスの流れを提供し、濃酸素ガスの流れを加湿して加湿濃酸素ガスを提供し、加湿濃酸素ガスを非加湿濃酸素ガスに合流させて加湿濃酸素ガス生成物を形成し、前記濃酸素ガス生成物送出ポートに取り付けられる前記カニューレを通じユーザに第２の流量で加湿濃酸素ガス生成物を供給する、
ことによってこれら携帯用酸素発生器ユニット及び定置ベースユニットを結合モードで作動するステップであって、該第２の流量が前記第１の流量よりも多いステップと、
を含む方法。
【手続補正２】
【補正対象書類名】明細書
【補正対象項目名】００２２
【補正方法】変更
【補正の内容】
【００２２】
本発明の実施形態は、携帯用酸素発生器ユニットと、この携帯用酸素発生器ユニットに結合するようになっている定置ベースユニットとを含む酸素濃縮システムに関する。酸素濃縮システムは、酸素発生システムとして説明することもでき、これら２つの呼称は相互に交換可能である。携帯用酸素発生器ユニットは、濃酸素ガスを発生させるための携帯用空気分離装置と、携帯用空気分離装置に空気を供給するための手段を含む１次ガスポンプと、ガスポンプを駆動するための１次モータと、モータを駆動するための充電式電源と、携帯用酸素発生器ユニットの充電式電源を充電するようになっているコネクタ手段と、携帯用酸素発生器ユニットから濃酸素ガスを移すためのフローカップリング手段と、第１の濃酸素ガス生成物放出ポートとを含む。定置ベースユニットは携帯用酸素発生器ユニットに結合するようになっており、この定置ベースユニットは、携帯用酸素発生器ユニットの充電式電源を充電するようになっているコネクタ手段を含む定置電源システムと、携帯用酸素発生器ユニットから濃酸素ガスを受け取るためのフローカップリング手段と、選択任意の第２の濃酸素ガス生成物放出ポートとを含む。
【手続補正３】
【補正対象書類名】明細書
【補正対象項目名】００５５
【補正方法】変更
【補正の内容】
【００５５】
Ｔ状組体５０１は図５において略示されており、ユニットの設計者はＴ状組体５０１を適切な任意の方法で携帯用酸素発生器ユニット３のケーシング又はハウジングに組み込むことができる。同様に、延長アーム５１３は略示されており、ユニットの設計者は延長アーム５１３を任意の適切な方法で定置ベースユニット５のケーシングに組み込むことができる。例えば、図５の構成の代替態様では、ライン５０３をＴ状組体５０１まで内部延長してＴ状組体５０１を携帯用酸素発生器ユニット３の側面の底部の近くに又は当該底部に配置することができる。この例では、定置ベースユニット５の延長アームはもっと短くなる。